(57)【要約】【課題】人体通信を用いた認証処理において、認証処理におけるセキュリティ性の向上や電界結合による誤認証の発生の抑制を図る。【解決手段】ゲート装置１は、超音波スピーカ１１によって自身の入口手前の所定範囲に向けて認証用情報としての超音波信号を送信する。利用者２の保持する携帯通信端末３はゲート装置１から送信された前記認証用情報を受信する。そして、携帯通信端末３は、利用者２が電極マット１２を踏むことによって、メモリに記録されたＩＤ情報及び受信した認証用情報を利用者２の人体を介してゲート装置１に送信し、ゲート装置１は、携帯通信端末３から受信したＩＤ情報及び認証用情報に基づいて利用者２の通行の許否を判定し、その結果に応じてゲート１３を開閉する。【選択図】図１
2015018511.tif 000002
【特許請求の範囲】
【請求項１】
ＩＤ情報を記録する記録部と、
無線送信された認証用情報を受信する受信部と、
前記記録部に記録されたＩＤ情報及び前記受信部で受信した認証用情報を、人体を介して認証処理装置に送信する人体通信送信部と、
を有する、携帯通信端末。
【請求項２】
前記認証用情報は、超音波信号、ミリ波信号又はテラヘルツ波信号として送信されたものである、請求項１に記載の携帯通信端末。
【請求項３】
前記認証用情報は、前記認証処理装置又はその関連装置から前記認証処理装置の手前の所定範囲に向けて送信されたものである、請求項１又は２に記載の携帯通信端末。
【請求項４】
ＩＣカードが着脱自在なカード装着部と、
前記カード装着部に装着されたＩＣカードのＩＤ情報を読み取る情報読取部と、
を有し、
前記記録部は、前記情報読取部で読み取ったＩＣカードのＩＤ情報を記録する、
請求項１〜３のいずれか一つに記載の携帯通信端末。
【請求項５】
前記記録部は、前記ＩＤ情報に加えて、前記受信部で受信した認証用情報を記録する、請求項１〜４のいずれか一つ記載の携帯通信端末。
【請求項６】
前記認証用情報は、前記人体通信送信部を起動させる起動信号としての機能を有する、請求項１〜５のいずれか一つに記載の携帯通信端末。
【請求項７】
請求項１〜６のいずれか一つに記載の携帯通信端末の前記人体通信送信部から送信されたＩＤ情報及び認証用情報を受信する人体通信受信部と、
前記人体通信受信部で受信したＩＤ情報及び認証用情報に基づいて認証処理を行い、その結果に応じた制御信号を出力する認証処理部と、
前記認証処理部から出力された制御信号によって作動制御される被制御要素と、
を有する、認証処理装置。
【請求項８】
前記認証用情報を所定範囲に無線送信する情報送信部をさらに有し、
前記認証処理部は、前記認証処理において、前記情報送信部から送信した認証用情報と前記人体通信受信部で受信した認証用情報との照合を行う、
請求項７に記載の認証処理装置。
【請求項９】
前記情報送信部は、前記認証用情報を、超音波信号、ミリ波信号、又はテラヘルツ波信号として当該認証処理装置の手前の所定範囲に向けて送信する、請求項８に記載の認証処理装置。
【請求項１０】
前記被制御要素は、閉状態において利用者の通行を阻止するゲートであり、
前記認証処理部は、前記携帯通信端末を保持する利用者の通行の許否を判定し、当該利用者の通行を許可する場合に、前記ゲートを開放する開放信号を出力する、請求項７〜９のいずれか一つに記載の認証処理装置。
【請求項１１】
請求項１〜６のいずれか一つに記載の携帯通信端末と、
前記携帯通信端末に認証用情報を無線送信する情報送信手段と、
前記携帯通信端末の前記人体通信送信部から送信されたＩＤ情報及び認証用情報を受信する人体通信受信手段と、
前記人体通信手段で受信したＩＤ情報及び認証用情報に基づいて認証処理を実行し、その結果に応じた制御信号を出力する認証処理手段と、
前記認証処理手段から出力された制御信号によって作動制御される被制御要素と、
を含む、認証システム。
【発明の詳細な説明】
【技術分野】
【０００１】
本発明は、人体通信が可能な携帯通信端末、人体通信によって携帯通信端末から受信した情報に基づいて認証処理を実行する認証処理装置、及び、これらを含む認証システムに関する。
【背景技術】
【０００２】
この種の技術の一例として、特許文献１には、外部装置としての自動改札機と、この自動改札機と人体通信を行う人体通信端末とが記載されている。特許文献１において、前記人体通信端末は、無線通信媒体（ＲＦＩＤカード）が装備されると、当該無線通信媒体が記憶する媒体情報を読み取って記憶し、記憶した媒体情報を、人体を介して前記自動改札機に無線送信する。また、前記自動改札機は、前記人体通信端末から媒体情報を受信して通行判定を行う。
【先行技術文献】
【特許文献】
【０００３】
【特許文献１】特開２０１２−１９１５３５号公報
【発明の概要】
【発明が解決しようとする課題】
【０００４】
しかし、特許文献１に記載の技術では、次のような課題がある。
すなわち、前記人体通信端末は、単に装備された無線通信媒体の媒体情報を無線送信するだけであるので、例えば何らかの情報を付加することによって前記通行判定などの認証処理をより厳密に行おうとした場合に、その対応が難しい。
また、前記人体通信端末を保持しない先行者に、前記人体通信端末を保持した後続者が接近してその電界が結合してしまうと、前記後続者の保持する前記人体通信端末からの媒体情報に基づいて、本来であれば許可されないはずの前記先行者による通行が許可されてしまうこと、換言すれば、電界結合による誤認証が発生するおそれもある。
【０００５】
そこで、本発明は、人体通信を用いた認証処理において、上述のような従来の課題に対処可能な、携帯通信端末、認証処理装置及びこれらを含む認証システムを提供することを目的とする。
【課題を解決するための手段】
【０００６】
本発明の一側面によると、携帯通信端末は、ＩＤ情報を記録する記録部と、無線送信された認証用情報を受信する受信部と、前記記録部に記録されたＩＤ情報及び前記受信部で受信した認証用情報を、人体を介して認証処理装置に送信する人体通信送信部と、を有する。
【０００７】
本発明の他の側面によると、認証処理装置は、前記携帯通信端末の前記人体通信送信部から送信されたＩＤ情報及び認証用情報を受信する人体通信受信部と、前記人体通信受信部で受信したＩＤ情報及び認証用情報に基づいて認証処理を行い、その結果に応じた制御信号を出力する認証処理部と、前記認証処理部から出力された制御信号によって作動制御される被制御要素と、を有する。
【０００８】
本発明のさらに他の側面によると、認証システムは、前記携帯通信端末と、前記携帯通信端末に認証用情報を無線送信する情報送信手段と、前記携帯通信端末の前記人体通信送信部から送信されたＩＤ情報及び認証用情報を受信する人体通信受信手段と、前記人体通信手段で受信したＩＤ情報及び認証用情報に基づいて認証処理を実行し、その結果に応じた制御信号を出力する認証処理手段と、前記認証処理手段から出力された制御信号によって作動制御される被制御要素と、を含む。
【発明の効果】
【０００９】
前記携帯通信端末は、記録部に記録されたＩＤ情報及び受信部で受信した認証用情報を人体通信で認証処理装置に送信する。このため、認証処理装置にて所定の認証処理のために使用する情報を認証用情報として容易に付加することができ、例えばセキュリティ性の向上を図ることが可能となる。
また、例えば、前記認証処理装置又はその関連装置が前記認証処理装置の手前の所定範囲に向けて前記認証用情報を無線送信することで、前記認証処理装置において、上述したような電界結合による誤認証の発生を抑制することができる。
【００１０】
前記認証処理装置及び前記認証システムは、前記携帯通信端末から人体通信で送信されたＩＤ情報及び認証用情報を受信して、これらの情報に基づいて認証処理を行い、その結果に応じた制御信号を被制御要素に出力する。したがって、前記携帯通信端末との併用によって、認証処理におけるセキュリティ性の向上や電界結合による誤認証の発生の抑制を図ることができる。
【図面の簡単な説明】
【００１１】
【図１】本発明の一実施形態による認証システム（ゲート装置及び携帯通信端末）の概略構成を示す図である。
【図２】前記携帯通信端末の外観の概略を示す図である。
【図３】前記携帯通信端末を構成するＩＣカードホルダの電気的構成を示すブロック図である。
【図４】前記認証システムの作用を説明するための図である。
【図５】前記認証システムの作用を説明するための図である。
【図６】前記認証システムの作用を説明するための図である。
【発明を実施するための形態】
【００１２】
以下、添付図面を参照しつつ本発明の実施形態を説明する。
図１は、本発明の一実施形態による認証システムの概略構成を示している。図１（ａ）は、認証システムの概略構成の平面図であり、図１（ｂ）は、図１（ａ）のＡ−Ａ断面図である。この認証システムは、ゲート装置（認証処理装置）１と、利用者２の保持する携帯通信端末３とを含み、ゲート装置１が携帯通信端末３からの情報に基づいて認証処理を行うものである。
【００１３】
図１において、ゲート装置１は、所定の通路に配設されて利用者２の通行を規制する。ゲート装置１は、利用者２の保持する携帯通信端末３との間で利用者２の人体を通じた通信を確立し、携帯通信端末３から所定の情報を受信する。そして、ゲート装置１は、携帯通信端末３から人体通信を介して受信した前記所定の情報に基づいて認証処理を行って利用者２の通行の許否を判定する。
なお、図１は、利用者２が矢印Ｂ方向に通行する場合を示しており、図中左側がゲート装置１の入口側であり、図中右側がゲート装置１の出口側となっている。
【００１４】
本実施形態において、ゲート装置１は、超音波スピーカ（情報送信部）１１と、電極マット（人体通信受信部）１２と、開閉式のゲート（被制御要素）１３と、認証処理部１４と、警報器１５と、を有している。
【００１５】
超音波スピーカ１１は、ゲート装置１（の認証処理部１４）で使用する認証用情報を超音波信号として送信する。超音波は指向性が高いため、比較的狭い範囲に絞って前記認証用情報を送信することが可能である。そこで、本実施形態において、超音波スピーカ１１は、ゲート装置１の入口手前の所定範囲に向けて前記認証用情報としての超音波信号を送信する。好ましくは、超音波スピーカ１１は、ゲート装置１に向かってくる利用者２がゲート装置１の入口手前まで近づいたとき（例えば、後述する電極マット１２の直前の位置に来たとき）に当該利用者２の保持する携帯通信端末３が受信するように、前記認証用情報（超音波信号）を送信する。さらに言えば、超音波スピーカ１１は、前後に接近した複数の（ここでは二人の）利用者２がゲート装置１に近づいてくる場合においてはその先頭の利用者２の保持する携帯通信端末３のみが受信可能なように、その送信範囲、出力及び／又は波形等が調整された前記認証用情報（超音波信号）を送信する。
なお、前記認証用情報は、ゲート装置１が利用者の通行の許否を判定するために使用する情報であればよく、その形式や内容等は問わない。
【００１６】
電極マット１２は、ゲート装置１の入口の通路面に設置又は埋設されている。そして、携帯通信端末３を保持する利用者２がこの電極マット１２を踏むことによって、利用者２の人体を介してゲート装置１と携帯通信端末３と間で人体通信が行われる。この人体通信を通じてゲート装置１は携帯通信端末３から所定の情報を受信する。本実施形態において、携帯通信端末３から受信する所定の情報は、携帯通信端末３の人体通信送信部３３から送信される情報であり、携帯通信端末３に記録されているＩＤ情報及び超音波スピーカ１１が送信した前記認証用信号を含む（この点については後述する）。
【００１７】
ゲート１３は、通常は閉状態となっていて利用者２の通行を阻止する。そして、ゲート１３は、利用者２の通行が許可された場合に開放され、これにより、利用者２がゲート装置１を通行することが可能となる。なお、ゲート１３の作動は、認証処理部１４によって制御される。
【００１８】
認証処理部１４は、人体通信を通じて携帯通信端末３から受信した前記所定の情報（ＩＤ情報及び認証用信号）に基づいて認証処理を行って利用者２の通行の許否を判定する。具体的には、認証処理部１４は、ＩＤ情報の照合及び認証用情報の照合を行って利用者２の通行の許否を判定する。例えば、認証処理部１４は、携帯通信端末３から受信したＩＤ情報が事前に登録されているＩＤ情報と一致する場合や有効なものである場合であって、かつ、携帯通信端末３から受信した認証用情報が超音波スピーカ１１から送信した認証用情報と一致する場合に、当該携帯通信端末３を保持する利用者２の通行を許可する。それ以外の場合、例えばＩＤ情報及び／又は認証用情報が受信されない場合には、認証処理部１４は利用者２の通行を許可しない。
【００１９】
そして、認証処理部１４は、前記認証処理（照合）の結果、利用者２の通行を許可する場合にはゲート１３に開放信号を出力してゲート１３を開放し、その後、図示省略したセンサなどによって利用者２がゲート１３を通過したことを確認するとゲート１３に閉鎖信号を出力してゲート１３を閉鎖する。一方、認証処理部１４は、利用者２の通行を許可しない場合には、ゲート１３を作動させずに閉状態を維持する。また、認証処理部１４は、必要に応じて、警報器１５に作動信号を出力して警報灯（図示省略）を点灯させ及び／又は警報音を発生させる。例えば、認証処理部１４は、携帯通信端末３からＩＤ情報は受信されたが前記認証用情報は受信されなかったような場合に、警報器１５に警報灯（図示省略）を点灯させ及び／又は警報音を発生させるようにすることができる。
【００２０】
図２は、携帯通信端末３の外観の概略を示している。
図２に示すように、本実施形態における携帯通信端末３は、ＩＣカードホルダ３１と、ＩＣカードホルダ３１に装着されたＩＣカード３２とによって構成されている。
ＩＣカードホルダ３１には、ＩＣカード３２を着脱自在なスリット（カード装着部）３１ａが形成されており、ＩＣカードホルダ３１の内部には、スリット３１ａから挿入されたＩＣカード３２を収容するカード収容部３１ｂが設けられている。
【００２１】
図３は、ＩＣカードホルダ３１の電気的構成を示すブロック図である。
図３に示すように、ＩＣカードホルダ３１は、ＩＣカードリーダ（情報読取部）３１１と、超音波受信部３１２と、演算処理部（ＣＰＵ）３１３と、メモリ（記録部）３１４と、人体通信送信部３１５と、バッテリ３１６と、を含む。
【００２２】
ＩＣカードリーダ３１１は、ＩＣカードホルダ３１に装着されたＩＣカード３２からそのＩＤ情報を読み取り、読み取ったＩＤ情報をＣＰＵ３１３に送信する。例えば、図示省略したセンサなどによってＩＣカード３２の装着をＣＰＵ３１３が検知すると、ＣＰＵ３１３はＩＣカードリーダ３１１に所定の制御信号を出力し、これにより、ＩＣカードリーダ３１１がＩＣカード３１からＩＤ情報を読み取るように構成することができる。
【００２３】
超音波受信部３１２は、外部から送信された超音波信号を受信して処理する。超音波受信部３１２は、超音波マイク３１２ａと、超音波通信処理部３１２ｂとを有する。本実施形態において、超音波マイク３１２ａは、ゲート装置１の超音波スピーカ１１から送信された前記認証用情報としての超音波信号を受信し、受信した超音波信号を超音波通信処理部３１２ｂに転送する。超音波通信処理部３１２ｂは、超音波マイク３１２ａから転送された超音波信号を処理して前記認証用情報を抽出し、抽出した前記認証用情報をＣＰＵ３１３に送信する。
【００２４】
ＣＰＵ３１３は、ＩＣカードリーダ３１１で読み取ったＩＣカード３２のＩＤ情報、及び、超音波受信部３１２で受信（抽出）した前記認証用情報を受信（入力）し、これらをメモリ３１４に記録する。また、ＣＰＵ３１３は、携帯通信端末３（ＩＣカードホルダ３１及びＩＣカード３２）を保持する利用者２が人体通信用の電極に触れると、より具体的には、利用者２がゲート装置１の電極マット１２を踏むことによってゲート装置１と携帯通信端末３との間で通信が確立すると、メモリ３１４から前記ＩＤ情報及び前記認証用情報を読み出して人体通信送信部３１５に送信する。
【００２５】
人体通信送信部３１５は、人体通信データを生成して送信するものであり、電界通信処理部３１５ａと、電極部３１５ｂとを有する。利用者２がゲート装置１の電極マット１２を踏むことで電極マット１２と電極部３１５ｂとが利用者２の人体を介して接続し、これにより、ゲート装置１と携帯通信端末３との間で通信が確立する。
【００２６】
電界通信処理部３１５ａは、ＣＰＵ３１３から受信した前記ＩＤ情報及び前記認証用情報を人体通信データに変換して電極部３１５ｂに送信する。これにより、前記ＩＤ情報及び前記認証用情報を含む人体通信データが、電極部３１５ｂ及び利用者２の人体を介してゲート装置１（の電極マット１２）へと送信される。そして、上述したように、ゲート装置１の認証処理部１４において認証処理が行われる。
なお、メモリ３１４に記録した前記認証用情報は、超音波受信部３１２がこれを受信してから所定時間が経過したとき又は人体通信送信部３１５によってゲート装置１に送信されたときに、例えばＣＰＵ３１３によって消去される。
【００２７】
次に、図４〜図６を参照して本実施形態による認証システムの作用を説明する。なお、以下の説明において、各利用者の保持する携帯通信端末３のＩＤ情報は、ゲート装置１に事前に登録されているものとする。
【００２８】
図４は、携帯通信端末３を保持する一人の利用者２がゲート装置１に向かってきた場合を示している。なお、複数の利用者２がある程度の間隔をあけてゲート装置１に向かってきた場合についても同様である。この場合、図４（ａ）に示すように、利用者２がゲート装置１に入口手前の所定位置（電極マット１１の直前の位置）まで来ると、利用者２の保持する携帯通信端末３が超音波スピーカ１１から送信された前記認証用情報（超音波信号）を受信する。そして、図４（ｂ）に示すように、利用者２がさらに進んで電極マット１２を踏むと、ゲート装置１は、携帯通信端末３からそのＩＤ情報及び前記認証用情報を含む人体通信データを受信する。これにより、ゲート装置１はゲート１３を開放し、利用者２はゲート装置１を通行することが可能となる。
【００２９】
図５は、通行（前後）方向に互いに接近した二人の利用者２Ａ、２Ｂがゲート装置１に近づいてきた場合を示している。ここでは、先行の利用者２Ａは携帯通信端末３を保持しておらず、後続の利用者２Ｂのみが携帯通信端末３を保持している。なお、「通行（前後）方向に互いに接近」とは、上述したような電界結合が生じる程度に両者の距離が近いことをいう。
【００３０】
この場合、図５（ａ）に示すように、ゲート装置１の入口手前において、超音波スピーカ１１から送信された認証用情報は先行の利用者２Ａによって遮られてしまうため、後続の利用者２Ｂの保持する携帯通信端末３は前記認証用情報を受信できない。
【００３１】
したがって、図５（ｂ）に示すように、先行の利用者２Ａが電極マット１２を踏んだときに、ゲート装置１が、たとえ電界結合によって後続の利用者２Ｂの保持する携帯通信端末３との間で人体通信を行ったとしても、ゲート装置１は、超音波スピーカ１１から送信した認証用情報を受信しない。このため、ゲート装置１（の認証処理部１４）は、先行の利用者２Ａの通行を許可せず、ゲート１３を開放しない。また、この場合、ゲート装置１は、警報器１５に警報灯を点灯させ及び／又は警報音を発生させる。
【００３２】
前記警報灯の点灯及び／又は前記警報音の発生によって、通行を許可されない先行の利用者２Ａがゲート装置１から外れると、図５（ｃ）に示すように、後続の利用者２Ｂの保持する携帯通信端末３は、ゲート装置１の超音波スピーカ１１から送信された認証用情報を受信できるようになる。そして、後続の利用者２Ｂが電極マット１２を踏むことによって、ゲート装置１は、後続の利用者２Ｂの保持する携帯通信端末３からそのＩＤ情報及び前記認証用情報を含む人体通信データを受信してゲート１３を開放する。これにより、後続の利用者２Ｂはゲート装置１を通行することが可能となる。
【００３３】
図６は、通行（前後）方向に互いに接近した二人の利用者２Ｃ、２Ｄがゲート装置１に近づいてきた場合を示している。ここでは、先行の利用者２Ｃ及び後続の利用者２Ｄの双方が携帯通信端末３を保持している。
この場合、図６（ａ）に示すように、ゲート装置１の入口手前において、超音波スピーカ１１から送信された認証用情報は、先行の利用者２Ｃの保持する携帯通信端末３によって受信されるが、図５（ａ）の場合と同様、先行の利用者２Ｃによって遮られてしまうため、後続の利用者２Ｄの保持する携帯通信端末３よっては受信されない。
【００３４】
次いで、図６（ｂ）に示すように、まず先行の利用者２Ｃが電極マット１２を踏むと、ゲート装置１は、先行の利用者２Ｃの保持する携帯通信端末３からそのＩＤ情報及び前記認証用情報を含む人体通信データを受信してゲート１３を開放する。これにより、先行の利用者２Ｃはゲート装置１を通行することが可能となり、先行の利用者２Ｃは、さらにゲート装置１内に進入する。
【００３５】
すると、図６（ｃ）に示すように、後続の利用者２Ｄの保持する携帯通信端末３がゲート装置１の超音波スピーカ１１から送信された認証用情報を受信可能な状態となる。そして、後続の利用者２Ｄが電極マット１２を踏むことにより、ゲート装置１は、後続の利用者２Ｄの保持する携帯通信端末３からそのＩＤ情報及び前記認証用情報を含む人体通信データを受信してゲート１３を開放する（開放状態を維持する）。これにより、後続の利用者２Ｄもゲート装置１を通行することが可能となる。
【００３６】
ここで、先行の利用者２Ｃが電極マット１２を踏んだときに電界結合が生じると、ゲート装置１は二つのＩＤ情報と一つの認証用情報を受信することになる。すなわち、先行の利用者２Ｃの保持する携帯通信端末３から送信されたＩＤ情報及び前記認証用情報と、後続の利用者２Ｄの保持する携帯通信端末３から送信されたＩＤ情報である。このような場合には、携帯通信端末３を保持する二人の利用者が接近していることが予測されるので、ゲート装置１は、認証処理部１４における通行の許否判定を通常よりも遅らせるようにしてもよい。すなわち、二つのＩＤ情報と一つの認証用情報を受信したときには、後続の利用者の保持する携帯通信端末３が前記認証用情報を受信するのを待って（例えば、図６（ｃ）の状態となるのを待って）、通行の許否判定を行うようにする。このようにすれば、ゲート装置１は、二つのＩＤ情報と二つの認証用情報を受信することができ、これによって、二人の利用者２Ｃ、２Ｄの通行を同時に許可することも可能となる。
【００３７】
また、この場合において、ゲート装置１（の超音波スピーカ１１）は、利用者２Ｃと利用者２Ｄとに送信する認証用情報を異ならせるように構成されてもよい。例えば、ゲート装置１は、超音波スピーカ１１から第１の認証用情報を送信した後に携帯通信端末３から第１の認証用情報を受信した場合には、超音波スピーカ１１から第２の認証用情報を送信するようにする。このようにすると、ゲート装置１において、先行者及び後続者の保持する携帯通信端末３のそれぞれから認証用情報を受信したことが明らかとなり、先行者と後続者の特定を容易に行うことができ、また、認証用情報の変化によって利用者の連続通行があったことやその数などを容易に把握することができる。
【００３８】
このように、本実施形態において、ゲート装置１は、自身の入口手前の所定範囲に向けて認証用情報としての超音波信号を送信し、この送信された認証用情報を、ゲート装置１に向かってくる利用者２の保持する携帯通信端末３が受信する。そして、携帯通信端末３は、利用者２がゲート装置１の電極マット１２を踏むことによって、メモリ３１４に記録されたＩＤ情報及び受信した前記認証用情報を利用者２の人体を介してゲート装置１に送信し、ゲート装置１は、携帯通信端末３から受信したＩＤ情報及び認証用情報に基づいて当該携帯通信端末３を保持する利用者２の通行の許否を判定する。
【００３９】
これにより、ゲート装置１は、利用者２による能動的な動作を必要とすることなく、利用者２の通行の許否を判定し、その判定結果に応じてゲート１３の開閉を制御することができる。すなわち、利用者２は単に携帯通信端末３を保持していればよく、非常に便宜である。また、ゲート装置１における利用者２の通行の許否判定において、ＩＤ情報だけでなく、ゲート装置１の入口手前の所定範囲に向けて送信される認証用情報を用いるようにしたので、上述したように、電界結合による誤認証、すなわち、ゲート装置１が、携帯通信端末３を保持する後続者の接近によって携帯通信端末３を保持しない先行者の通行を許可してしまうことを抑制できる。
【００４０】
以上、本発明の好ましい一実施形態について説明したが、本発明は上述の実施形態に制限されるものではなく、本発明の技術的思想に基づいて更なる変形等が可能であることはもちろんである。以下のいくつか例示しておく。
【００４１】
例えば、上述の実施形態において、利用者２が保持する携帯通信端末３は、ＩＣカードホルダ３１と、ＩＣカードホルダ３１に装着されたＩＣカード３２とによって構成されている。このような構成によれば、既存のＩＣカードを利用することができると共に、利用者２の変更などに容易に対応できるので便宜である。
しかし、これに限るものではなく、携帯通信端末３は、そのＩＤ情報を記録すると共に超音波信号として送信された認証用情報を受信し、これらの情報（ＩＤ情報及び認証用情報）を利用者２の人体を介してゲート装置１に送信できる構成のものであればよい。
【００４２】
また、前記認証用情報は、必ずしもゲート装置１から送信される必要はなく、その関連装置などから送信されるものであってもよい。
さらに、ゲート装置１又はその関連装置から送信される認証用情報は、比較的狭い範囲に絞って送信できるものであればよく、超音波信号以外の信号を用いることもできる。具体的には、指向性及び／又は直進性が高く、且つ短距離通信に適した無線信号、例えば、ミリ波信号やテラヘルツ波信号を用いることができる。すなわち、ゲート装置１又はその関連装置は、前記認証用情報をミリ波信号又はテラヘルツ波信号として送信するようにしてもよい。この場合には、例えば、ゲート装置１における超音波スピーカ１１及びＩＣカードホルダ３１における超音波マイク３１２ａを、ミリ波（テラヘルツ波）送受信アンテナに変更すればよい。
【００４３】
つまり、携帯通信端末３は、そのＩＤ情報を記録する記録部と、無線送信された認証用情報を受信する受信部と、を有し、前記記録部に記録されたＩＤ情報及び前記受信部で受信した認証用情報を、人体を介してゲート装置１（認証処理装置）に送信可能な構成とすることができる。そして、好ましくは、前記認証用情報が、超音波信号、ミリ波信号又はテラヘルツ波信号として送信され、また、前記認証処理装置又はその関連装置から前記認証処理装置の手前の所定範囲に向けて送信される。
【００４４】
なお、携帯通信端末３をこのような構成とすることにより、当該携帯通信端末３を用いた認証処理、換言すれば、人体通信を利用した認証処理において、上述したような電界結合による誤認証を抑制できるだけではなく、これに加えて又はこれとは別に、セキュリティ性の向上などの様々な改良を施すことも容易に行えるようになる。例えば、ゲート装置１等の認証処理装置とは別の場所で認証用情報を無線送信して携帯通信端末３に受信させるようにすれば、利用者２は、認証処理装置における認証処理に先立って前記別の場所に立ち寄らなければならず、これによって、セキュリティ性等を高めることが可能となる。この場合において、無線送信される認証用情報を、有効期限（時間、期間）付きの認証用情報とすれば、さらにセキュリティ性を高めることができる。
【００４５】
また、上述の実施形態において、携帯通信端末３は、そのＩＤ情報を記録すると共に超音波信号として送信された認証用情報を受信し、これらの情報（ＩＤ情報及び認証用情報）を利用者２の人体を介してゲート装置１に送信している。
しかし、これに限るものではなく、携帯通信端末３は、前記認証用情報を受信したときに人体通信が可能となるように構成されてもよい。すなわち、前記認証用情報が、携帯通信端末３の人体通信送信部３１５を起動させる（人体通信可能な状態とする）起動信号としての機能を有するように構成する。この場合、ＩＣカードホルダ３１において、人体通信送信部３１５は、通常、スリープ状態（非アクティブ状態）にあり、超音波受信部３１２から前記認証用情報を受信したときにＣＰＵ３１３が人体通信送信部３１５をアクティブ状態とするように構成することができる。
このようにすれば、ゲート装置１と携帯通信端末３との間での不用な通信を抑制することができる。さらに、前記認証用信号と前記起動信号とを別々に無線送信するように構成すれば、電界結合による誤認証をさらに効果的に抑制することができる。
【符号の説明】
【００４６】
１…ゲート装置（認証処理装置）、２…利用者、３…携帯通信端末、１１…超音波スピーカ（情報送信部）、１２…電極マット（人体通信受信部）、１３…ゲート（被制御要素）、１４…認証処理部、３１…ＩＣカードホルダ、３１ａ…スリット（カード装着部）、３２…ＩＣカード、３１１…ＩＣカードリーダ（情報読取部）、３１２…超音波受信部（受信部）、３１２ａ…超音波マイク、３１２ｂ…超音波通信処理部、３１３…演算処理部ＣＰＵ、３１４…メモリ（記録部）、３１５…人体通信送信部、３１５ａ…電界通信処理部、３１５ｂ…電極部、３１６…バッテリ
【図１】
2015018511.tif 000003
【図２】
2015018511.tif 000004
【図３】
2015018511.tif 000005
【図４】
2015018511.tif 000006
【図５】
2015018511.tif 000007
【図６】
2015018511.tif 000008